(57)【要約】【課題】口元を簡便に開閉することのできる防塵フードを提供する。【解決手段】頭部を覆うフード本体２１の、着用者の目に対応する位置に設けられた視界確保用開口部２２の周縁の一部にシールド２１が取り付けられるシールド付防塵フード１１において、フード本体２１の視界確保用開口部２２の下側に、上下方向へ開閉可能な横方向へ延びるスリット２５を設け、スリット２５を、線ファスナ２６によって開閉可能にした。【選択図】図１
2013253340.tif 000002
【特許請求の範囲】
【請求項１】
頭部を覆うフード本体の、着用者の目に対応する位置に設けられた視界確保用開口部の周縁の一部にシールドが取り付けられるシールド付防塵フードにおいて、
前記フード本体の前記視界確保用開口部の下側に、上下方向へ開閉可能な横方向へ延びるスリットを設け、
前記スリットを、係止具によって開閉可能にした、
ことを特徴とするシールド付防塵フード。
【請求項２】
請求項１に記載のシールド付防塵フードにおいて、
前記係止具を、線ファスナにした、
ことを特徴とするシールド付防塵フード。
【発明の詳細な説明】
【技術分野】
【０００１】
この発明は、半導体製造工場、精密機器製造工場、製薬工場、食品加工工場などのクリーンルーム内において作業をするとき、作業者が着用するシールド付防塵フードに関するものである。
【背景技術】
【０００２】
半導体製造工場などでは、不良品発生を防止するため、クリーンルーム内で作業を行っているが、作業者から脱落（発生）する脱毛（頭髪、眉毛、まつげなど）などが製品に混入することが大きな問題となっている。
【０００３】
そこで、クリーンルーム内では、作業者からの脱毛が製品に混入しないようにするため、防塵フード（例えば、特許文献１、特許文献２参照）や防塵服を着用して作業を行っている。
【０００４】
また、作業者は、クリーンルームへの入室前に、粘着ローラなどを使用して防塵フードなどに付着している埃、脱毛などを除去したり、エアーシャワーなどの清浄化処理を行っている。
【０００５】
なお、食事や水分補給のためにクリーンルーム外へ出ると、クリーンルームへの入室毎に、上記した清浄化処理などを行う必要がある。
【先行技術文献】
【特許文献】
【０００６】
【特許文献１】特開２００５−４８３０４号公報
【特許文献２】特開平１１−２４１２１４号公報
【発明の概要】
【発明が解決しようとする課題】
【０００７】
近年、企業が節電対策を打ち出し、冷房設定温度を高めに設定する傾向にある。
【０００８】
このように、冷房設定温度を高めに設定すると、作業者は、脱水症などの対策として、頻繁に水分を補給したり、塩分を補給する必要に迫られ、クリーンルームへの入退室を繰り返すことになる。
【０００９】
このように、クリーンルームへの入退室を繰り返すと、清浄化処理の回数が増加し、作業効率の低下や、エアーシャワーに要する電力が増加するため、冷房設定温度を高めに設定する節電対策の効果が相殺されてしまうという問題がある。
【００１０】
上記したように、クリーンルームへの入退室の回数を増加させず、クリーンルーム内で、防塵フードを外さずに、防塵フードの口元のみを開閉させて水分補給や塩分補給を行うことのできる防塵フードが要望されている。
【００１１】
しかし、特許文献１および特許文献２に記載されている防塵フードは、口元を簡便に開閉することができないという不都合がある。
【００１２】
この発明は、上記した不都合を解消するためになされたもので、口元を簡便に開閉することのできる防塵フードを提供するものである。
【課題を解決するための手段】
【００１３】
請求項１に記載の発明は、頭部を覆うフード本体の、着用者の目に対応する位置に設けられた視界確保用開口部の周縁の一部にシールドが取り付けられるシールド付防塵フードにおいて、前記フード本体の前記視界確保用開口部の下側に、上下方向へ開閉可能な横方向へ延びるスリットを設け、前記スリットを、係止具によって開閉可能にしたことを特徴とする。
【００１４】
請求項２に記載の発明は、請求項１に記載のシールド付防塵フードにおいて、前記係止具を、線ファスナにしたことを特徴とする。
【発明の効果】
【００１５】
請求項１に記載の発明によれば、フード本体の視界確保用開口部の下側に、上下方向へ開閉可能な横方向へ延びるスリットを設け、スリットを、係止具によって開閉可能にしたので、口元を簡便に開閉することができる。
【００１６】
請求項２に記載の発明によれば、係止具を線ファスナにしたので、例えば、面ファスナに比べて塵埃を発生させることなく、口元を簡便に開閉することができる。
【図面の簡単な説明】
【００１７】
【図１】この発明の一実施例であるシールド付防塵フードの着用状態を左前上方から見た斜視図である。
【図２】図１に示したシールド付防塵フードの着用状態の正面図である。
【図３】図２のＩＩＩ−ＩＩＩ線による断面図である。
【図４】図１に示したシールド付防塵フードの着用状態の左側面図である。
【図５】図１に示したシールド付防塵フードの非着用状態におけるシールド部分を上側から見た図である。
【図６】図５に示したシールド付防塵フードを右側から見た図である。
【図７】シールドの非取付状態の正面図である。
【図８】図１に示した着用状態において線ファスナを開放させた状態の説明図である。
【発明を実施するための形態】
【００１８】
以下、この発明の実施例を、図面を参照して説明する。
【００１９】
図１はこの発明の一実施例であるシールド付防塵フードの着用状態を左前上方から見た斜視図、図２は図１に示したシールド付防塵フードの着用状態の正面図、図３は図２のＩＩＩ−ＩＩＩ線による断面図、図４は図１に示したシールド付防塵フードの着用状態の左側面図、図５は図１に示したシールド付防塵フードの非着用状態におけるシールド部分を上側から見た図、図６は図５に示したシールド付防塵フードを右側から見た図、図７はシールドの非取付状態の正面図、図８は図１に示した着用状態において線ファスナを開放させた状態の説明図である。
【００２０】
この明細書における前後、左右、上下、内外は、着用者から見ての前後、左右、上下、内外とする。
【００２１】
この発明の一実施例のシールド付防塵フード１１は、図１に示すように、着用者の頭部を覆う天頂を有した筒状のフード本体２１と、このフード本体２１の下側に取り付けられ、着用者の肩を覆う環状のスカート部３１と、フード本体２１の後外側に取り付けられ、フード本体２１の締め付け状態を調整する複数（２つ）の締め付け調整機構４１，４２（図３、図４参照）と、シールド５１とで構成されている。
【００２２】
そして、フード本体２１には、着用者の目に対応する位置に視界を確保するための視界確保用開口部２２が設けられ、着用者の口に対応する位置に呼吸を確保するための呼吸確保用開口部２３が視界確保用開口部２２の下側に、視界確保用開口部２２に連通させて設けられるとともに、着用者の両耳に対応する位置に聴取を確保するための聴取確保用開口部２７Ｌ，２７Ｒ（図３、図４参照）が設けられている。
【００２３】
上記した呼吸確保用開口部２３は、視界確保用開口部２２を確保するように、フード本体２１の前面側半周外側に取り付けた（縫い付けた）フィルタ機能を有する通気性素材２４によって覆われている。
【００２４】
この通気性素材２４は、着用者の口から離れる前方向へ膨らみ、着用者の口の部分に空間を確保できる前側凸形状に縫製されている。
【００２５】
そして、通気性素材２４の下端部（水平方向へ直線状に延びる下端部）と、この通気性素材２４の下端部と対向するフード本体２１の端部（水平方向へ直線状に延びる端部）との間にスリット２５が設けられ、このスリット２５が係止具としての線ファスナ２６によって上下方向へ開閉可能とされている。
【００２６】
上記した聴取確保用開口部２７Ｌは、聴取確保用開口部２７Ｌの周縁の内側に取り付けた（縫い付けた）フィルタ機能を有するメッシュ状の通気性素材２８Ｌによって覆われている。
【００２７】
また、聴取確保用開口部２７Ｒは、図３に示すように、聴取確保用開口部２７Ｒの周縁の内側に取り付けた（縫い付けた）フィルタ機能を有するメッシュ状の通気性素材２８Ｒによって覆われている。
【００２８】
そして、フード本体２１の視界確保用開口部２２の左側部分は、図１、図４に示すように、シールド５１の左端部が着用者の左顔面に直接接触しないように、シールド５１の左端部を内側から覆うシールド左端部カバー部２９Ｌとされている。
【００２９】
また、フード本体２１の視界確保用開口部２２の右側部分は、図３に示すように、シールド５１の右端部が着用者の右顔面に直接接触しないように、シールド５１の右端部を内側から覆うシールド右端部カバー部２９Ｒとされている。
【００３０】
上記した視界確保用開口部２２の左側部分に位置するフード本体２１（シールド左端部カバー部２９Ｌ）と通気性素材２４とを、図１、図４に示すように、視界確保用開口部２２の内側に開放する、例えば、楕円状に縫合して縫い目（縫合部分、ステッチ）Ｌを設けることにより、シールド５１の左端部を収容するするとともに、シールド５１の左端が底の一部に当接するシールド左端部取付収容部３０Ｌが設けられている。
【００３１】
また、視界確保用開口部２２の右側部分に位置するフード本体２１（シールド右端部カバー部２９Ｒ）と通気性素材２４とを、図３に示すように、視界確保用開口部２２の内側に開放する、例えば、楕円状に縫合して縫い目（縫合部分、ステッチ）Ｒを設けることにより、シールド５１の右端部を収容するとともに、シールド５１の右端が底の一部に当接するシールド右端部取付収容部３０Ｒが設けられている。
【００３２】
なお、縫い目Ｌ，Ｒは、シールド５１の左右端の形状に沿って形成されるとともに、シールド５１の左右端の形状に沿った曲線に形成される。
【００３３】
上記した締め付け調整機構４１は、図３、図４に示すように、一端がフード本体２１の後外中央頂部に取り付けられ、下側へ延びる他端の外側に、係止具を構成する、例えば、被係止具部が取り付けられた第１帯紐と、一端がフード本体２１の後外中央下端に取り付けられ、上側へ延びる他端の内側に、被係止具部に係脱する係止具を構成する係止具部が取り付けられた第２帯紐とで構成されている。
【００３４】
また、締め付け調整機構４２は、図３、図４に示すように、一端がフード本体２１の左外側に取り付けられ、後側へ水平に延びる他端の外側に、係止具を構成する、例えば、被係止具部が取り付けられた第１帯紐と、一端がフード本体２１の右外側に取り付けられ、後側へ水平に延びる他端の内側に、被係止具部に係脱する係止具を構成する係止具部が取り付けられた第２帯紐とで構成されている。
【００３５】
上記したシールド５１は、図７に示すように、正面視角をとった四角形状（ほぼ楕円形状）で下側の中央部分（鼻に対応する部分）が上側へ円弧状に切り欠かれた透明または半透明の屈曲可能な板状で、防曇加工を施したシールド本体５２と、このシールド本体５２の周縁を覆うように取り付けられた（縫い付けられた）シールド本体端部保護部材５３と、このシールド本体端部保護部材５３の上からシールド本体５２に、例えば、下端部の左右の２個所と、左右両端部との合計４個所にそれぞれ取り付けられた取付部材を構成する、例えば、取付部材部５４Ａが取り付けられている。
【００３６】
なお、図１〜図６に示すように、シールド左、右端部カバー部２９Ｌ，２９Ｒの通気性素材２４側に、シールド本体５２の左右に取り付けられた取付部材部５４Ａに対応する、取付部材を構成する被取付部材部５４Ｂが取り付けられるとともに、通気性素材２４の上側開口端の下側縁内側に、シールド本体５２の下端部の左右に取り付けられた取付部材部５４Ａに対応する、取付部材を構成する被取付部材部５４Ｂが取り付けられている。
【００３７】
上記した取付部材（取付部材部５４Ａ、被取付部材部５４Ｂ）は、着脱自在で、回動自在とされている。
【００３８】
次に、シールド５１の取付の一例について説明する。
【００３９】
まず、シールド５１の下端部を通気性素材２４の内側に挿入しながら、シールド５１の下端部に設けられた２つの取付部材部５４Ａを、通気性素材２４に設けられた被取付部材部５４Ｂに取り付ける。
【００４０】
そして、シールド５１の左端部をシールド左端部取付収容部３０Ｌに挿入し、シールド５１の左端部に設けられた取付部材部５４Ａを、シールド左端部カバー部２９Ｌに設けられた被取付部材部５４Ｂに取り付ける。
【００４１】
さらに、シールド５１の右端部をシールド右端部取付収容部３０Ｒに挿入し、シールド５１の右端部に設けられた取付部材部５４Ａを、シールド右端部カバー部２９Ｒに設けられた被取付部材部５４Ｂに取り付ける。
【００４２】
このようにしてシールド５１をフード本体２１に取り付けると、シールド左、右端部カバー部２９Ｌ，２９Ｒとシールド５１とが弦と弓との関係になり、図５に示すように、シールド５１の上端部とフード本体２１との間に空気流入用開口部Ｈが形成される。
【００４３】
また、未着用状態で上から見ると、図５に示すように、シールド５１が、左右両端から直線状に前方へ突出した後に中央部で円弧状に湾曲している状態となる。
【００４４】
また、シールド左、右端部取付収容部３０Ｌ，３０Ｒの底（縫い目Ｌ，Ｒ）の一部と、シールド５１の左右端とは、当接している。
【００４５】
次に、着用状態におけるスリット２５の開閉について説明する。
【００４６】
例えば、作業者が水分を補給するために、スリット２５を開放させる場合は、ファスナ２６を開放させると、図８に示すように、スリット２５の下側のフード本体２１は自重で落下するので、スリット２５を簡便に開放させることができる。
【００４７】
そして、スリット２５を閉塞させる場合は、ファスナ２６を閉塞することにより、スリット２５を簡便に閉塞することができる。
【００４８】
この発明の一実施例のシールド付き防塵フード１１によれば、フード本体２１の視界確保用開口部２２の下側に、上下方向へ開閉可能な横方向へ延びるスリット２５を設け、スリット２５を、線ファスナ２６によって開閉可能にしたので、例えば、面ファスナに比べて塵埃を発生させることなく、口元を簡便に開閉することができる。
【００４９】
また、シールド５１の上端部とフード本体２１との間に空気流入用開口部Ｈが形成されているので、ダウンフローが空気流入用開口部Ｈからフード本体２１内に入ることにより、フード本体２１内に空気が滞留するのを防ぐことができるとともに、脱毛などが着用者から落ちても、シールド５１の内面に付着しないように落下させることができる。
【００５０】
また、視界確保用開口部２２の左右端部の外側に、シールド１の左右端が底（縫い目Ｌ，Ｒ）の一部に当接するシールド左、右端部取付収容部３０Ｌ，３０Ｒを設け、シールド５１の下端部から左右両端部が視界確保用開口部２２の対応する周縁の内側で重なる状態に、シールド５１の左右両端部をシールド左、右端部取付収容部３０Ｌ，３０Ｒに収容させてシールド５１が取り付けられているので、未着用状態におけるシールド５１の湾曲状態を維持でき、着用時に着用者の鼻にシールド５１が接触しなくなって着用感（着心地）がよくなる。
【００５１】
また、シールド５１の下端部および左右両端部が取付部材（取付部材部５４Ａ、被取付部材部５４Ｂ）でフード本体２１の内側に取り付けられているので、シールド５１がフード本体２１から不用意に脱落することがなくなるとともに、フード本体２１が取付部材を中心としてシールド５１に対して回動、移動することにより、着用し易くなる。
【００５２】
また、未着用状態で上から見ると、シールド５１が、左右両端から直線状に前方へ突出した後に中央部で円弧状に湾曲しているので、着用時に着用者の鼻にシールド５１が接触しなくなって着用感（着心地）がよくなる。
【００５３】
上記した実施例において、シールド５１をフード本体２１に着脱可能に取り付ける取付部材（取付部材部５４Ａ、被取付部材部５４Ｂ）を４個所（４つ）とした例を示したが、取付部材はシールド５１の左右端部、下端部の３個所（３つ）でも、それ以上であってもよい。
【００５４】
また、取付部材でシールド５１をフード本体２１に取り付ける例を示したが、シールド左、右端部取付収容部３０Ｌ，３０Ｒのみでシールド５１をフード本体２１に取り付けても、同様な効果を得ることができる。
【符号の説明】
【００５５】
１１    シールド付防塵フード
２１    フード本体
２２    視界確保用開口部
２３    呼吸確保用開口部
２４    通気性素材
２５    スリット
２６    線ファスナ（係止具）
２７Ｌ  聴取確保用開口部
２７Ｒ  聴取確保用開口部
２８Ｌ  通気性素材
２８Ｒ  通気性素材
２９Ｌ  シールド左端部カバー部
２９Ｒ  シールド右端部カバー部
３０Ｌ  シールド左端部取付収容部
３０Ｒ  シールド右端部取付収容部
３１    スカート部
４１    締め付け調整機構
４２    締め付け調整機構
５１    シールド
５２    シールド本体
５３    シールド本体端部保護部材
５４Ａ  取付部材部（取付部材）
５４Ｂ  被取付部材部（取付部材）
Ｈ      空気流入用開口部
Ｌ，Ｒ  縫い目（縫合部分、ステッチ）
【図１】
2013253340.tif 000003
【図２】
2013253340.tif 000004
【図３】
2013253340.tif 000005
【図４】
2013253340.tif 000006
【図５】
2013253340.tif 000007
【図６】
2013253340.tif 000008
【図７】
2013253340.tif 000009
【図８】
2013253340.tif 000010